(57)【要約】【課題】突き出し式又は片開き式開口部装置において、開閉の際に使用者は自分の手を室外に移動する必要がなく、手元で容易に開閉操作が可能である開口部装置を提供する。【解決手段】建物開口部の縁に沿って設けられた枠体１１と、枠体の内側に配置された障子２０と、枠体、及び障子を回動可能に連結する少なくとも１つの蝶番１６と、蝶番と離隔した位置で、一端を枠体に、他端を障子に取り付けられ、障子を開閉可能に連結する開閉手段３０とを備え、開閉手段の一端側は、該開閉手段を操作する枠体の見付け方向内側面に配置される操作部３１とされ、該操作部から延在する開閉手段の他の部分は、枠体の内部を貫通して障子に連結することを特徴とする。【選択図】図４
2008075420.tif 000002
【特許請求の範囲】
【請求項１】
建物開口部の縁に沿って設けられた枠体と、
前記枠体の内側に配置された障子と、
前記枠体、及び前記障子を回動可能に連結する少なくとも１つの蝶番と、
前記蝶番と離隔した位置で、一端を前記枠体に、他端を前記障子に取り付けられ、前記障子を開閉可能に連結する開閉手段と、を備え、
前記開閉手段の前記一端側は、該開閉手段を操作する前記枠体の見付け方向内側面に配置される操作部とされ、該操作部から延在する前記開閉手段の他の部分は、前記枠体の内部を貫通して前記障子に連結することを特徴とする開口部装置。
【請求項２】
前記開閉手段の前記操作部が回動可能な把手を備え、該把手を回動することにより前記障子の開閉が可能であることを特徴とする請求項１に記載の開口部装置。
【請求項３】
前記開閉手段は、前記障子の閉鎖時に該障子を前記枠体に係合し、前記障子の開放時には前記障子を前記枠体から離脱させる係合離脱手段をさらに有することを特徴とする請求項１又は２に記載の開口部装置。
【請求項４】
前記開閉手段の前記操作部は、前記障子の開閉操作を可能とするとともに、前記障子の前記枠体への前記係合、及び前記離脱をも合わせて操作可能とすることを特徴とする請求項３に記載の開口部装置。
【発明の詳細な説明】
【技術分野】
【０００１】
本発明は、住宅や公共施設及びオフィス等の建物の開口部に用いられる突き出し式、又は片開き式の開口部装置に関し、詳しくは室内側に設けられた開閉手段により障子に直接触れることなく該障子を開閉することができる開口部装置に関する。
【背景技術】
【０００２】
近年、建物の洋風化が進み、いわゆるモダンなデザインである洋風建物が増加している。このような洋風建物では建物全体の形だけではなく、該建物を構成する各要素の随所にも洋風なデザインが採用される場合が多い。
【０００３】
かかる洋風な建物を構成する要素の中で、窓は重要なものの１つである。窓には様々なデザインが適用され、使用者の好みにできるだけ対応することができるように設計されている。その中でも建物に洋風でモダンな印象を与えるために、小型のスリット窓や円形窓を採用する場合が増加している。加えてかかる窓においても開閉のできない固定式ではなく、開閉を可能とし、換気ができるようにしたいという要望が少なくない。
【０００４】
通常、このような窓の開閉には、突き出し式や片開き式と呼ばれる方法が採用されている。これは、開口部装置の障子と枠体とを蝶番で連結し、該蝶番を中心に回動可能とするものである。さらに、蝶番とは異なる位置の障子の框に把手やロック機構を配置し、使用者は該把手を室内外方向に引き寄せたり、押し出したりすることで、障子の開閉をすることができる。
【発明の開示】
【発明が解決しようとする課題】
【０００５】
しかし、上記従来の突き出し式や片開き式の障子の開閉では、使用者は障子を開けるとき、框に取り付けられた把手等を室外へ押し出さなくてはならず、障子を閉めるときにも室外にある把手をつかむために室外へ手を伸ばしたり、場合によっては体ごと室外側へ乗り出さなくてはならないという問題があった。
【０００６】
また、開閉が可能である開口部装置の場合、外から害虫等の侵入を防ぐ目的で網戸を設置することが好ましい。突き出し式、片開き式の窓の場合は、室外側へ障子が突き出るため、網戸を室外側へ取り付けることが困難である場合が多い。しかし室内側へ網戸を取り付けると、障子の開閉のために都度、網戸の開閉又は取り外しを行わなくてはならず、使用者にとって非常に煩雑であるという問題もあった。
【０００７】
そこで、本発明は、突き出し式又は片開き式開口部装置において、開閉の際に使用者は自分の手を室外に移動する必要がなく、手元で容易に開閉操作が可能である開口部装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、建物開口部の縁に沿って設けられた枠体（１１）と、枠体の内側に配置された障子（２０）と、枠体、及び障子を回動可能に連結する少なくとも１つの蝶番（１６）と、蝶番と離隔した位置で、一端を枠体に、他端を障子に取り付けられ、障子を開閉可能に連結する開閉手段（３０）とを備え、開閉手段の一端側は、該開閉手段を操作する枠体の見付け方向内側面に配置される操作部（３１）とされ、該操作部から延在する開閉手段の他の部分は、枠体の内部を貫通して障子に連結することを特徴とする開口部装置（１０）を提供することにより前記課題を解決する。
【００１０】
請求項２に記載の発明は、請求項１に記載の開口部装置（１０）の開閉手段（３０）の操作部（３１）が回動可能な把手（３４）を備え、該把手を回動することにより障子（２０）の開閉が可能であることを特徴とする。
【００１１】
請求項３に記載の発明は、請求項１又は２に記載の開口部装置（１０）の開閉手段（３０）は、障子（２０）の閉鎖時に該障子を枠体（１１）に係合し、障子の開放時には障子を枠体から離脱させる係合離脱手段（４０、５３）をさらに有することを特徴とする。
【００１２】
請求項４に記載の発明は、請求項３に記載の開口部装置（１０）の開閉手段（３０）の操作部（３１）は、障子（２０）の開閉操作を可能とするとともに、障子の枠体（１１）への係合、及び離脱をも合わせて操作可能とすることを特徴とする。
【発明の効果】
【００１３】
請求項１の発明によれば、突き出し式や片開き式の開口部装置において、開閉の際に使用者は自分の手を室外に移動する必要がなく、手元で容易に開閉操作が可能である。また、障子の開閉手段の一端が枠体に、他端が障子に配設されるので、該開閉手段が室内側へ大きく延在することがない。さらに、開閉手段は、操作部以外は、枠体の内部を貫通して障子に連結されるので、室内側からは操作部しか認識されない。これにより開閉手段が備えられるにもかかわらず外観に優れた開口部装置を提供することができる。
【００１４】
請求項２の発明によれば、開閉手段の操作が把手の回動によるので、その操作に手元での大きな動作を必要としない。これにより、操作性にも優れた開口部装置とすることができる。
【００１５】
請求項３の発明によれば、開閉手段により障子を確実に閉鎖することができ、気密水密をとることができる。
【００１６】
請求項４の発明によれば、障子の開閉、及び係合離脱を一連の連続した動作で行うことができ、利便性、操作性が高い開口部装置を提供することができる。
【００１７】
本発明のこのような作用及び利得は、次に説明する発明を実施するための最良の形態から明らかにされる。
【発明を実施するための最良の形態】
【００１８】
以下本発明を図面に示す実施形態に基づき説明する。
【００１９】
図１は、１つの実施形態にかかる本発明の開口部装置１０を備える建物１の外観を示す正面図である。建物１は、１階及び２階からなり、各階に開口部を有している。開口部には、１階には玄関５や窓３が備えられ、２階にも窓４が具備されている。２階にはさらに小さめの開口部が設けられ、本発明の開口部装置１０、１０が取り付けられている。ここで、開口部装置１０の開閉方式はいわゆる突き出し式、又は片開き式である。本実施形態では、比較的小さな開口部に開口部装置１０を適用したが、本発明の開口部装置はあらゆる大きさの窓に使用が可能である。また、建物の種類も住宅には限定されず、公共施設、オフィス及び店舗等の大型建物にも適用することができる。図１で、符号２は建物の外壁を表している。
【００２０】
図２は、開口部装置１０が建物１の開口部に取り付けられた場面において、該開口部装置１０を室内側から見た斜視図である。従って、図２にＡで示した縁の外側は室内の壁である。このとき障子２０（図３参照）は閉鎖されている。かかる視点では、開口部装置１０の、建物開口部の４辺に沿って取り付けられた枠体１１の一部（縦枠１２、横枠１５）が表れている。さらに、縦枠１２には、その見付け方向内側に操作部３１が備えられていることがわかる。操作部３１は、後述するように障子２０を開閉する手段である開閉手段３０の一部であり、使用者が操作する部位である。また、枠体１１の内側に備えられた網戸２６も表れている。このように、本発明の開口部装置１０では、障子２０の開閉手段３０の操作部３１が、枠体１１の見付け方向内側に配置され、該枠体１１の見付け方向内側から大きく突出することなく設けられている。これにより、開口部装置１０は、開閉手段３０が備えられているにもかかわらず、外観上シンプルな印象を与えることができる。
【００２１】
図３は、障子２０の閉鎖、及び開放の各場面を説明するための図で、図２と同じ視点によるものである。図３では、わかり易さのために網戸２６は省略した。実際には障子２０の開閉に際して網戸２６は設置したままでよく、網戸２６の開閉や取り外しの必要はない。図３（ａ）は障子２０が閉鎖されている場面、図３（ｂ）は障子２０が開放されている場面をそれぞれ示している。
【００２２】
このように障子２０を開閉させるために使用者は、手元にある操作部３１の把手３４を回動させるだけでよい。従って使用者は、障子を開閉するために手を室外へ伸ばして障子を掴む必要がない。また、使用者は棒等の開閉手段を大きく室内外方向に移動させることも要しない。これにより利便性の高い開口部装置１０とすることができる。また、閉鎖時における把手３４の収納も障子２０の閉鎖をする動作と一連で完了することができ、操作性にも優れた開口部装置１０とすることができる。
【００２３】
次に開口部装置１０の構成について説明する。図４は開口部装置１０の開放の姿勢における水平方向横断面図、図５は開口部装置１０の開放の姿勢における垂直方向横断面図である。図４、図５は断面図ではあるが、見易さ及び理解容易のため、一部部材を省略したり、断面を表していない部材が合わせて記載されたりしている。図４では紙面上が室外側、紙面下が室内側、図５では紙面右が室外側、紙面左が室内側をそれぞれ示している。また、図４、図５には、開口部装置１０が建物開口部に配置されたときにおける外壁２、及び柱６、横材７も合わせて表した。以下に、図４、図５、及び適宜示す図を参照しつつ開口部装置１０の構成を説明する。
【００２４】
開口部装置１０は、建物開口部の４辺に沿って備えられた枠体１１と、該枠体１１の内側に設けられた障子２０と、障子２０の開閉操作を可能とする開閉手段３０と、を備えている。また、枠体１１の内側で障子２０の室内側には網戸２６が具備されている。
【００２５】
枠体１１は、棒状の縦枠１２、１３、及び横枠１４、１５が枠状体に組み合わせられることにより形成されている。縦枠１２、１３、及び横枠１４、１５の横断面はいずれも概ね同じ形状である。ここでは、縦枠１２を例に説明する。縦枠１２はその横断面において、室外側に配置される矩形の環状体である室外側矩形環状部１２ａと、該室外側矩形環状部１２ａの室内側に具備される矩形の環状体である室内側矩形環状部１２ｂと、室内側矩形環状部１２ｂの見付け方向外側からさらに外側に延在する取り付け片１２ｃとを備えている。ここで、室内側矩形環状部１２ｂの方が、室外側矩形環状部１２ａよりも見付け方向に大きく形成されている。そして、室外側矩形環状部１２ａと、室内側矩形環状部１２ｂとの見付け方向外側面は面一とされ、見付け方向内側には、室内側矩形環状部１２ｂの方が大きく内側に突出するように構成されている。
【００２６】
障子２０は、ガラスパネル２５と、該ガラスパネル２５の４辺に取り付けられた縦框２１、２２、横框２３、２４と、を備えている。縦框２１、２２、横框２３、２４は、上記のようにガラスパネル２５の４辺に取り付けられる棒状の部材である。これら縦框２１、２２、横框２３、２４の横断面は、いずれも概ね同じ形状である。また、当該横断面において本実施形態の縦框２１、２２、横框２３、２４は、室外側に配置された部分の一部が見付け方向外側に延在する片を有している。これにより、障子２０の閉鎖時に枠体１１を室外側正面視から隠蔽することができ、シンプルな印象を与える開口部装置１０を提供することができる。
【００２７】
また、障子２０には、該障子２０の１つの端面で、後述する開閉手段３０が取り付けられる端面には、該開閉手段３０の部材が配置される溝が上下方向に沿って長く形成されている。
【００２８】
以上説明した枠体１１と、障子２０とは、縦枠１３と、縦框２２とに蝶番１６が取り付けられることにより連結されている。従って、障子２０は蝶番１６の回動軸を中心に回動することができる。これにより、障子２０の突き出し式の開閉が可能となる。
【００２９】
開閉手段３０は、操作部３１と、係合離脱部材４０と、摺動部材５０と、枠体側連動部材６０と、障子側連動部材６１とを備えている。以下、各々について説明する。
【００３０】
操作部３１は、さらにケース３２と、軸３３と、把手３４とを備えて構成されている。ケース３２は、長手方向両端が丸くされているが、一方向が長く形成された直方体状の部材である。軸３３は、ケース３２の長手方向一端側に、該ケース３２の厚さ方向（図４の左右方向）を貫通して設けられる軸である。該軸３３は、ケース３２に取り付けられた姿勢で、軸心を中心に回動可能とされている。把手３４は、一方向が長く形成された板状の部材で、該長手方向の一端が軸３３の一端に固定して取り付けられる。従って、把手３４を回動させると軸３３もこれに追随して回動する。また、把手３４の長手方向の長さは、ケース３２の長手方向長さよりも短くされ、両者の長手方向が同じ向きに配置されたときには把手３４がケース３２の一面側に収めることができる。一方、把手３４を回動させるときには、把手３４の軸３３とは連結されていない端部をケース３２から離すように引き出し、これによりできる間隙に手を入れて把手３４を操作することが可能とされている。かかる機構は公知のものを利用することができる。
【００３１】
係合離脱部材４０は、平板４２と、該平板４２の一端に取り付けられる係合片４１とを備えている。図６に形状を示した。図６（ａ)は図５に示した係合離脱部材４０の、図６（ｂ）は図４に示した係合離脱部材４０の拡大図である。平板４２は、厚さ方向に貫通した孔４３、４４を有している。係合片４１は、平板４２の一端に取り付けられる棒状の片で、平板４２の幅方向（図６（ａ）の上下方向）両側、及び平板４２の厚さ方向（図６（ｂ）の左右方向）の一方に突出するように設けられている。また、係合片４１の長手方向両端は同じ向きに折り曲げられている。
【００３２】
摺動部材５０は、摺動体５１と、軸５２と、係合突起５３、５３とを備えている。図７に形状を示した。図７（ａ）は、図５に示した視点から見た摺動部材５０の図、図７（ｂ）は、Ｂ−Ｂ’断面、図７（ｃ）はＣ−Ｃ’断面である。摺動体５１は、細長い板状の部材で、横断面において略コの字型を有する。また、該コの字断面の対向するそれぞれの片の外側からさらに外側に延在する突起５１ａ、５１ａを有している。軸５２は、該突起５１ａ、５１ａが設けられていない片の外面上に立設される軸である。該軸５２は摺動部材５０の長手方向略中央に設けられる。係合突起５３、５３も軸５２と同様に、突起５１ａ、５１ａが設けられていない摺動体５１の片の外面上に立設される突起である。係合突起５３、５３は、摺動体５１の両端側のそれぞれに１つずつ具備される。
【００３３】
枠体側連動部材６０、及び障子側連動部材６１は、適宜板厚方向に折り曲げられて形成された一方向に長く形成された板材である。いずれも両端部に孔が設けられている。
【００３４】
以上のような各部材を備える開閉手段３０は、枠体１１及び障子２０に次のように配置される。操作部３１は、ケース３２の長手方向が縦枠１２の長手方向に沿う向きとされる。そして、ケース３２が縦枠１２の室内側矩形環状部１２ｂの見付け方向内側に取り付けられる。このとき、ケース３２の厚み方向の一端が上記室内側矩形環状部１２ｂの内側に埋め込まれるように配置され、外側には大きく突出しないように配置される。これにより、開閉手段の操作部が設けられているにもかかわらず外観に優れた開口部装置１０を提供することができる。
【００３５】
係合離脱部材４０、４０は、本実施形態では２つ備えられ、所定の間隔を有して縦枠１２の室外側矩形環状部１２ａの見付け方向内側に上下方向に並べられて取り付けられる。ここで、平板４２の一面で、係合片４１が突出していない側の面が室外側矩形環状部１２ａの見付け方向内側面に当接される。そして平板４２の孔４３、４４を介して固定部材により固定される。このとき、係合片４１、４１は室外側に向けられる。２つの係合離脱部材４０、４０が有する所定の間隔は、上記の摺動部材５０の係合突起５３、５３の間隔に略同一である。これらの関係は後で説明する。
【００３６】
摺動部材５０は、障子２０の開閉手段３０が設けられる端面に刻設された溝に摺動可能に取り付けられる。該溝は障子２０の上下方向に沿って設けられ、摺動部材５０の摺動体５１の断面形状に対してレールの役割を有する横断面を有している。これにより、摺動部材５０は、溝の内側を上下方向に摺動可能とされ、障子２０の見付け方向には抜けないようにされている。また、摺動範囲に所定の制限が設けられ、該制限は不図示のストッパーにより行われる。摺動が禁止される場合の摺動部材５０の姿勢については後で説明する。
【００３７】
枠体側連動部材６０、及び障子側連動部材６１は、互いに一端が回動可能に軸６２で取り付けられる。また、枠体側連動部材６０の他端は、操作部３１の軸３３の把手３４が取り付けられていない端部に固定して取り付けられる。このとき枠体側連動部材６０は、軸３３に対しては回動できないように固定される。従って、枠体側連動部材６０は、軸３３の回動に追随して該軸３３を中心に回動する。一方、障子側連動部材６１の他端は、摺動部材５０の軸５２に回動可能に取り付けられる。
【００３８】
以上のような構成により、使用者は網戸を開閉することなく、手元の動作のみで障子２０を開閉することができるので利便性が高い開口部装置１０を提供することができる。このとき、開閉操作は上記のように把手を回転させるのみで行うことができるので、大きな動作をする必要がなく、操作性にも優れている。また、その機構の大部分が枠体内を介して障子に取り付けられているので、採光部には影響を与えないで該機構を取り付けることができ快適性にも優れ、外観も良好である。
【００３９】
次に、本発明の開口部装置１０の閉鎖の姿勢から、障子２０が開放されるときの各部材の動作について説明する。図８（ａ）〜図８（ｃ）は該開放動作を順を追って示した模式図である。図８は、図５と同様の視点の図であり、開口部装置１０の紙面右が室外側、紙面左が室内側である。
【００４０】
図８（ａ）に示した障子２０の閉鎖の姿勢において、把手３４、及び枠体側連動部材６０は垂直に配置されている。また、摺動部材５０の係合突起５３、５３は、係合離脱部材４０の係合片４１、４１の室内側に配置され、両者は引っ掛かるように係合している。これにより障子２０は、係合突起５３、５３、及び係合片４１、４１を介して枠体１１に係合しており、障子２０の気密水密が確実なものとされている。
【００４１】
図８（ａ）に示した姿勢から、把手３４を室内側に回動させる。すると、枠体側連動部材６０も軸３３を中心に回動するので、軸６２が室外側へ移動する。これにより障子側連動部材６１には、室外側へ移動しようとする力と、下方へ移動しようとする力が加わる。ここで、障子２０は、係合離脱部材４０に係合し、その室外側への移動が禁止されているとともに、摺動部材５０は、上記のように上下方向に移動しやすいように形成されている。従って、図８（ｂ）に示したように、摺動部材５０が下方へ移動する。これにより、係合突起５３、５３、と係合片４１、４１とが離脱する。そして、摺動部材５０は、当該離脱の姿勢とされたときに下方への移動がストッパー等により禁止される。
【００４２】
図８（ｂ）の姿勢からさらに把手３４を回動させる。すると、枠体側連動部材６０がさらに軸３３を中心に回動するので、軸６２もさらに室外側へ移動する。これにより障子側連動部材６１には、室外側へ移動しようとする力と、下方へ移動しようとする力がさらに加わる。このときには、障子２０と枠体１１とは係合が解除されているとともに、摺動部材５０の下方への移動は禁止さており、障子２０は室外側へ移動され、障子２０が開放される。
【００４３】
以上のような機構により開閉手段３０を用いて障子２０を開閉させることができる。障子２０を閉鎖するときには、上記動作を遡るように行えばよい。ここで、係合離脱部材４０に摺動部材５０が係合するとき、障子２０を引き寄せるので、該障子２０の閉鎖時に気密水密を確実にとることが可能である。
【００４４】
本実施形態の開口部装置１０では、開閉手段３０が縦枠１２に取り付けられていたが、これに限定される必要はない。例えば下側に配置される横枠に開閉手段が設けられても本発明の開口部装置とすることができる。
【００４５】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００４６】
【図１】本発明の開口部装置が使用される１つの実施形態にかかる建物の外観を示す正面図である。
【図２】開口部装置が建物に取り付けられた場面における室内側斜視図である。
【図３】図２の場面において障子の開閉の姿勢を模式的に示した室内側斜視図である。
【図４】開口部装置の水平方向横断面図である。
【図５】開口部装置の垂直方向横断面図である。
【図６】係合離脱部材を説明するための図である。
【図７】摺動部材を説明するための図である。
【図８】障子の開放動作における各部材の移動、回動を順を追って示した図である。
【符号の説明】
【００４７】
１  建物
２  外壁
３、４  窓
５  開口部装置
１０  開口部装置
１１  枠体
１２、１３  縦枠
１４、１５  横枠
１６  蝶番
２０  障子
２１、２２  縦框
２３、２４  横框
２５  ガラスパネル
２６  網戸
３０  開閉手段
３１  操作部材
３２  ケース
３３  軸
３４  操作把手
４０  係合離脱部材（係合離脱手段）
５０  摺動部材
５１  摺動体
５２  軸
５３  係合突起（係合離脱手段）
６０  枠体側連動部材
６１  障子側連動部材
６２  軸
【図１】
2008075420.tif 000003
【図２】
2008075420.tif 000004
【図３】
2008075420.tif 000005
【図４】
2008075420.tif 000006
【図５】
2008075420.tif 000007
【図６】
2008075420.tif 000008
【図７】
2008075420.tif 000009
【図８】
2008075420.tif 000010